(57)【要約】 【課題】  対象装置を固定ボデーに極めて密に位置決めでき、保持すべき対象装置の数および大きさに関して高度の可変性を特徴とする装置を提供する。【解決手段】  縦長の対象装置を保持する装置は、支持部材（２１）に固定するための固定ボデー（３）と、一端で固定ボデー（３）に結合されるループベルト（２）と、少なくとも１つの可撓性結合部分（１４，１５）を介して固定ボデー（３）の側に設置され固定ボデー（３）に結合されたベルト受容部分（４）とを有する。ループベルト（２）は、ベルト固定領域（６）において、固定ボデー（３）に直接に結合されており、ベルト受容部分（４）は、可撓性結合部分（１４，１５）の弛緩状態において、固定ボデー（３）のベルト固定領域とは反対の側にある。【選択図】  図２
2009509108.tif 000002
【特許請求の範囲】
【請求項１】
支持部材（２１）に固定するための固定ボデー（３）と、一端で固定ボデー（３）に結合されるループベルト（２）と、少なくとも１つの可撓性結合部分（１４，１５）を介して固定ボデー（３）の側に設置され固定ボデー（３）に結合されたベルト受容部分（４）とを有する縦長の対象装置を保持する装置において、
ループベルト（２）が、ベルト固定領域（６）において、固定ボデー（３）に直接に結合されており、ベルト受容部分（４）が、可撓性結合部分または各可撓性結合部分（１４，１５）の弛緩状態において、固定ボデー（３）のベルト固定領域（６）とは反対の側にあることを特徴とする装置。
【請求項２】
ベルト受容部分（４）およびベルト固定領域（６）が、固定ボデー（３）の相互に対向する端部範囲（５，９）に設けてあることを特徴とする請求項１の装置。
【請求項３】
ベルト受容部分（４）が、側部に設置された２つの結合部材（１２，１３）を介して且つそれぞれ結合部材（１２，１３）に形成された可撓性結合部分（１４，１５）を介して固定ボデー（３）の相互に対向する２つの面に結合されていることを特徴とする請求項１または請求項２の装置。
【請求項４】
前記可撓性結合部分（１４，１５）が、固定ボデー（３）から側方へ突出する結合リブ（１６，１７）に設置されていることを特徴とする請求項３の装置。
【請求項５】
該結合リブ（１６，１７）が、固定ボデー（３）の脚範囲（部分）（５）まで延在し、該脚範囲（５）には、固定ボデー（３）および該結合リブ（１６，１７）に結合され固定ボデー（３）を越えて側方へ延びるベースプレート（１８，１９）が存在することを特徴とする請求項４の装置。
【請求項６】
固定ボデー（３）には、前記ベルト固定領域（６）の側部に、前記ベルト受容部分（４）の方向へ延在しかつ前記ループベルト（２）の方向に配向されたクランプリブ（７，８）が形成されていることを特徴とする請求項２〜５の１つに記載の装置。
【発明の詳細な説明】
【技術分野】
【０００１】
本発明は、特許請求項１の上位概念部（前置部）に記載の装置に関する。即ち本発明は、支持部材に固定するための固定ボデーと、一端で固定ボデーに結合されるループベルトと、少なくとも１つの可撓性結合部分を介して固定ボデーの側に設置され固定ボデーに結合されたベルト受容部分とを有する縦長の対象装置を保持する装置に関する。
【背景技術】
【０００２】
ケーブル継手として構成されたこの種の装置は、ＥＰ０７５１５９７Ａ１から公知である。既知のケーブル継手の場合、固定のために支持部材に装備された固定ボデーには、可撓性結合部分を介して、ベルト受容部分が形成されている。結合部分に対向するベルト受容部分の側には、ループベルト（ないしバンド）の一端が設置されており、即ち、ループベルトは、固定ボデーに間接的に結合される。ループベルトの他端は、特に、対象装置としての複数のケーブルを保持するため、ベルト受容部分に導入でき、緊張後に固定できる。
【特許文献１】ＥＰ０７５１５９７Ａ１
【発明の開示】
【発明が解決しようとする課題】
【０００３】
本発明の課題は、対象装置を固定ボデーに極めて密に位置決めでき、保持すべき対象装置の数および大きさに関して高度の可変性を特徴とする冒頭に述べた種類の装置を提供することにある。
【課題を解決するための手段】
【０００４】
この課題は、冒頭に述べた種類の装置において、本発明にもとづき、請求項１の特徴記載部分に開示の特徴によって解決される。即ち、本発明は、ループベルトが、ベルト固定領域において、固定ボデーに直接に結合されており、ベルト受容部分が、可撓性結合部分または各可撓性結合部分の弛緩状態において、固定ボデーのベルト固定領域とは反対の側にあることを特徴とする。（基本形態１）
【０００５】
ループベルト（ないしループバンド）を固定ボデーに直接に（結合して）設置し且つベルト受容部分（ないし部材）に対向させて配置することによって、保持すべき対象または保持すべき複数の対象は、ループベルトの緊張状態において、ベルト受容部分の湾曲とともに固定ボデーに当接し、ベルト受容部分（部材）の湾曲によって、巻かれた全横断面に関して、大きい使用幅が創成される。
【０００６】
本発明の他の目的に適った構成は、従属請求項の対象である。以下に可能な実施の形態を示す。
ベルト受容部分およびベルト固定領域が、固定ボデーの相互に対向する端部範囲に設けてあることが好ましい。（形態２）
ベルト受容部分が、側部に設置された２つの結合部材を介して且つそれぞれ結合部材に形成された可撓性結合部分を介して固定ボデーの相互に対向する２つの面に結合されていることが好ましい。（形態３）
前記可撓性結合部分が、固定ボデーから側方へ突出する結合リブに設置されていることが好ましい。（形態４）
該結合リブが、固定ボデーの脚範囲（部分）まで延在し、該脚範囲には、固定ボデーおよび該結合リブに結合され固定ボデーを越えて側方へ延びるベースプレートが存在することが好ましい。（形態５）
固定ボデーには、前記ベルト固定領域の側部に、前記ベルト受容部分の方向へ延在しかつ前記ループベルトの方向に配向されたクランプリブが形成されていることが好ましい。（形態６）
【発明を実施するための最良の形態】
【０００７】
添付の図面を参照した本発明の好ましい実施例の以下の説明から、他の目的に適った構成および利点が知られよう。
【０００８】
図１に、縦長の対象装置の、好ましくは、複数のケーブルを保持するケーブル継手１として構成された本発明に係る一装置の一実施例の斜視図を示した。ケーブル継手１は、直方体基本形状を有する固定ボデー３に一端を（結合して）設置した縦長の、比較的長いストリップ状ループベルト２を使用する。固定ボデー３は、支持部材（図１には示してない）の固定に役立つ。更に、ケーブル継手１は、固定ボデー３に結合されたベルト受容部分４を有する。
【０００９】
図２に、図１のケーブル継手１の緩和状態のベルト受容部分３を有する固定ボデー３の範囲の拡大図を示した。図２から明かな如く、ループベルト２は、図２において下方にある脚範囲５のベルト固定領域６において、固定ボデー３の長辺に接する。図２から知られる如く、ループベルト２の両側には、ベルト固定領域６に、脚範囲（部分）５から離れて図２の上方に設けた固定ボデー３のヘッド範囲（部分）９の方向へ延びループベルト２の方向へ固定ボデー３から突出する２つのクランプリブ７，８が構成されている。クランプリブ７，８は、図２に示した如く、脚範囲（部分）５から固定ボデー３のほぼ中心範囲（部分）まで延在することが好ましい。
【００１０】
更に、図２から知られる如く、ベルト受容部分（部材）４は、差込スペース１１内に延びる係止トング（舌状片）１０を有する。ベルト受容部分４の側部には、固定ボデー３のベルト（結合）固定領域６に対向する側から、まず、ループベルト２の縦方向に対して直角（図中縦方向）に固定ボデー３の他の長辺に沿って延在し、次いで、ループベルト２の縦方向へ湾曲され、かくして、固定ボデー３の短辺に平行をなす結合部材（ないし帯材、Anbindungsbuegel）１２，１３が（固定ボデー３の）際に（ないし接して）配設（angesetzt）されている。
【００１１】
固定ボデー３の短辺に平行をなす結合部材１２，１３の端部は、脚範囲（部分）５の方向へ湾曲され、図２では緩和された（力の作用していない）状態の可撓性結合部分１４，１５にそれぞれ移行し、この場合、可撓性結合部分１４，１５は、同じく、固定ボデー３の（両）短辺に形成された（両）結合リブ１６，１７に接合されている。結合リブ１６，１７は、ヘッド範囲（部分）９から脚範囲（部分）５まで延び、固定ボデー３の短辺のほぼ中央にある。
【００１２】
ベルト固定領域６と脚範囲（部分）５にある（両）結合リブ１６，１７の端部との間には、それぞれ、脚範囲（部分）５のケーブル継手１の当接面および安定性を総合して増大するベースプレート１８，１９が構成されている。
【００１３】
図２に関連して説明したループベルト２およびベルト受容部分４の配置にもとづき、ベルト固定領域６は、固定ボデー３の固定受容部材４とは対向する側にあり、ベルト受容部分４およびベルト固定領域６は、固定ボデー３の相互に対向する端部領域、即ち、脚範囲（部分）５およびヘッド範囲（部分）９に設けてある。
【００１４】
図３に、図１および図２のケーブル継手１の固定ボデー３の範囲の断面図を示した。図３において、固定ボデー３は、支持部材２１と結合されたねじボルト２０に嵌合されている。固定ボデー３のボルト受容スペース２２には、ねじボルト２０の導入方向へ配向され、ねじボルト２０のねじ山と係合し、はめ込み力に抗してねじボルト２０からのケーブル継手１の引抜く力を明らかに増大する保持つめ２３，２４が構成されている。
【００１５】
更に図３から明らかな如く、この実施例の場合、ループベルト２は、多数のベルト歯２５を有するよう構成されており、上記のベルト歯は、係止トング１０に形成されたトング歯２６と補完関係にあり、かくして、差込スペース１１にループベルト２の自由端を導入した際、ベルト歯２５およびトング歯２６は、相互に係合し、ループベルトの緊張（締結）後、巻かれた対象（図示してない）、例えば、比較的太いケーブルまたはパイプの形の単一対象または或る数の対象、例えば、横断面が比較的小さい複数のケーブルまたはパイプは、実際上、外れないよう保持される。
【００１６】
図４に、総合横断面が比較的大きい対象装置を保持する配置（状態）における図１〜図３のケーブル継手１の側面図を示した。図４から明らかな如く、この配置では、ベルト受容部分４は、ベルト固定領域６に対して緩和された配置（図１〜図３参照）からベルト固定領域６が存在する固定ボデー３の側に湾曲され、更に、ヘッド範囲（部分）９の上方に配置される。ループベルト２の自由端２７は、ベルト受容部分４を貫通し、既に短く（カット）されている。
【００１７】
図５に、全横断面が比較的小さい対象装置を保持する配置の図１〜図３のケーブル継手１を示した。図５から明かな如く、この配置では、ループベルト２は、実質的に真っすぐに伸張され、ベルト受容部分４は、図１〜図３の緩和配置に対して、ベルト固定領域６が存在する固定ボデー３の側に完全に折返されている。従って、ループベルト２の方向へ延在するクランプリブ７，８が配設されることによって、全横断面が極めて小さい対象装置も確実に保持できる。
【００１８】
更に敷衍するが、巻かれる対象装置の横断面が大きい場合も小さい場合も、ループベルト２をベルト受容部分４に導入後、ベルト受容部分４およびループベルト２の自由端２７は、脚範囲（部分）５に対向する側（反対側）に配設され、かくして、自由端２７の突出部を引張って切断する操作が簡単化される。なぜならば、ベルト受容部分４および自由端２７が、利用者に向いているからである。
【図面の簡単な説明】
【００１９】
【図１】本発明に係る一実施例の斜視図である。
【図２】図１の実施例の固定ボデーの範囲の拡大図である。
【図３】図１および図２の実施例の固定ボデーの範囲の断面図である。
【図４】全横断面が比較的大きい対象装置のためのループベルトをベルト受容部分に導入した状態の図１−図３の実施例の側面図である。
【図５】全横断面が比較的小さい対象装置のためのループベルトをベルト受容部分に導入した状態の図１−図３の実施例の側面図である。
【符号の説明】
【００２０】
１        ケーブル継手
２        ループベルト
３        固定ボデー
４        ベルト受容部分（部材）          
５        脚範囲（部分）
６        ベルト固定領域
７，８    クランプリブ
９        ヘッド範囲（部分）
１０        係止トング（舌状片）
１１        差込スペース
１２,１３   結合部材（帯材）（Anbindungsbuegel）
１４,１５   （可撓性）結合部分
１６,１７   結合リブ
１８,１９   ベースプレート  
２１        支持部材
【図１】
2009509108.tif 000003
【図２】
2009509108.tif 000004
【図３】
2009509108.tif 000005
【図４】
2009509108.tif 000006
【図５】
2009509108.tif 000007
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
支持部材（２１）に固定するための固定ボデー（３）と、一端で固定ボデー（３）に結合されるループベルト（２）と、少なくとも１つの可撓性結合部分（１４，１５）を介して固定ボデー（３）の側に設置され固定ボデー（３）に結合されたベルト受容部分（４）とを有する縦長の対象装置を保持する装置であって、
ループベルト（２）が、ベルト固定領域（６）において、固定ボデー（３）に直接に結合されており、ベルト受容部分（４）が、可撓性結合部分または各可撓性結合部分（１４，１５）の弛緩状態において、固定ボデー（３）のベルト固定領域（６）とは反対の側にある形式のものにおいて、
ベルト受容部分（４）が、側部に設置された２つの結合部材（１２，１３）を介して且つそれぞれ結合部材（１２，１３）に形成された前記可撓性結合部分（１４，１５）を介して固定ボデー（３）の相互に対向する２つの面に結合されており、
前記可撓性結合部分（１４，１５）が、固定ボデー（３）から側方へ突出する結合リブ（１６，１７）に設置されていること
を特徴とする装置。
【請求項２】
ベルト受容部分（４）およびベルト固定領域（６）が、固定ボデー（３）の相互に対向する端部範囲（５，９）に設けてあることを特徴とする請求項１の装置。
【請求項３】
該結合リブ（１６，１７）が、固定ボデー（３）の脚範囲（部分）（５）まで延在し、該脚範囲（５）には、固定ボデー（３）および該結合リブ（１６，１７）に結合され固定ボデー（３）を越えて側方へ延びるベースプレート（１８，１９）が存在することを特徴とする請求項１又は２の装置。
【請求項４】
固定ボデー（３）には、ベルト固定領域（６）の側部に、前記ベルト受容部分（４）の方向へ延在しかつループベルト（２）の方向に配向されたクランプリブ（７，８）が形成されていることを特徴とする請求項２又は３に記載の装置。
【手続補正２】
【補正対象書類名】明細書
【補正対象項目名】０００２
【補正方法】変更
【補正の内容】
【０００２】
ケーブル継手として構成されたこの種の装置は、ＥＰ０７５１５９７Ａ１から公知である。既知のケーブル継手の場合、固定のために支持部材に装備された固定ボデーには、可撓性結合部分を介して、ベルト受容部分が形成されている。結合部分に対向するベルト受容部分の側には、ループベルト（ないしバンド）の一端が設置されており、即ち、ループベルトは、固定ボデーに間接的に結合される。ループベルトの他端は、特に、対象装置としての複数のケーブルを保持するため、ベルト受容部分に導入でき、緊張後に固定できる。さらに下記の公知文献がある。
【特許文献１】  ＥＰ０７５１５９７Ａ１
【特許文献２】  ＧＢ１２４２２７８
【特許文献３】  ＵＳ−Ａ−３，３０２，９１３
【特許文献４】  ＤＥ９３１７９３８Ｕ１
【特許文献５】  ＤＥ８９１１４１４Ｕ１
【発明の開示】
【発明が解決しようとする課題】
【手続補正書】
【提出日】平成20年6月20日(2008.6.20)
【手続補正１】
【補正対象書類名】明細書
【補正対象項目名】０００４
【補正方法】変更
【補正の内容】
【０００４】
この課題は、冒頭に述べた種類の装置において、本発明にもとづき、請求項１の特徴記載部分に開示の特徴によって解決される。即ち、本発明は、支持部材に固定するための固定ボデーと、一端で固定ボデーに結合されるループベルトと、少なくとも１つの可撓性結合部分を介して固定ボデーの側に設置され固定ボデーに結合されたベルト受容部分とを有する縦長の対象装置を保持する装置であって、ループベルトが、ベルト固定領域において、固定ボデーに直接に結合されており、ベルト受容部分が、可撓性結合部分または各可撓性結合部分の弛緩状態において、固定ボデーのベルト固定領域とは反対の側にある形式のものにおいて、ベルト受容部分が、側部に設置された２つの結合部材を介して且つそれぞれ結合部材に形成された前記可撓性結合部分を介して固定ボデーの相互に対向する２つの面に結合されており、前記可撓性結合部分が、固定ボデーから側方へ突出する結合リブに設置されていることを特徴とする。（基本形態１）
【国際調査報告】
2009509108.tif 000008
2009509108.tif 000009
2009509108.tif 000010
2009509108.tif 000011